【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
非一時的コンピュータ読取り可能媒体においてソース画像を受信することと、
１つまたは複数のプロセッサが、連続するダイナミックレンジ画像を、前記ソース画像の各ピクセルの輝度を所定のディスプレイの最小ダイナミックレンジおよび最大ダイナミックレンジを基礎とする連続関数として規定することにより生成することとを含む、方法。
【請求項２】
前記連続するダイナミックレンジ画像を生成することは、さらに、前記１つまたは複数のプロセッサが、前記最小ダイナミックレンジおよび前記最大ダイナミックレンジの前記ソース画像に等級を付けることを含む、請求項１に記載の方法。
【請求項３】
前記ソース画像は、ビデオフレームであり、かつ前記連続するダイナミックレンジ画像は、連続するダイナミックレンジのビデオフレームである、請求項２に記載の方法。
【請求項４】
前記連続関数は、ピクセル輝度値を標的ディスプレイのピーク輝度の関数として表すルミパスである、請求項３に記載の方法。
【請求項５】
ディスプレイ上に、ユーザが前記連続関数を規定または修正できるようにするグラフィカル・ユーザ・インタフェースを表示することをさらに含む、請求項３に記載の方法。
【請求項６】
前記１つまたは複数のプロセッサが、前記連続するダイナミックレンジ画像を、前記連続関数の各々を打切り多項式級数を用いて近似することにより圧縮することをさらに含む、請求項１に記載の方法。
【請求項７】
前記１つまたは複数のプロセッサが、前記連続するダイナミックレンジのビデオフレームを、前記連続関数の各々を打切り多項式級数を用いて近似することにより圧縮することをさらに含む、請求項３に記載の方法。
【請求項８】
前記多項式級数は、チェビシェフ多項式級数である、請求項７に記載の方法。
【請求項９】
前記打切り多項式級数の多項式係数を画像のようなフォーマットで表現することをさらに含む、請求項７に記載の方法。
【請求項１０】
前記画像のようにフォーマットされた多項式係数を、ビデオコーデックを用いて符号化することをさらに含む、請求項９に記載の方法。
【請求項１１】
前記最大ダイナミックレンジは、各々が関連のダイナミックレンジを有する複数の標的ディスプレイの最大ダイナミックレンジに相当し、かつ前記最小ダイナミックレンジは、前記複数の標的ディスプレイの最小ダイナミックレンジに相当する、請求項３に記載の方法。
【請求項１２】
１つまたは複数のプロセッサと、
前記１つまたは複数のプロセッサのうちの少なくとも１つに動作可能に結合され、かつ、命令を記憶する１つまたは複数の非一時的コンピュータ読取り可能媒体と、を備えるシステムであって、
前記命令が前記１つまたは複数のプロセッサのうちの少なくとも１つによって実行されたとき、前記システムに、
ソース画像を受信させ、かつ、
連続するダイナミックレンジ画像を、前記ソース・ビデオ・フレームの各ピクセルの輝度を所定のディスプレイの最小ダイナミックレンジおよび最大ダイナミックレンジを基礎とする連続関数として規定することにより生成させる、システム。
【請求項１３】
前記ソース画像は、ビデオフレームであり、かつ前記連続するダイナミックレンジ画像は、連続するダイナミックレンジのビデオフレームである、請求項１２に記載のシステム。
【請求項１４】
前記連続するダイナミックレンジのビデオフレームを生成することは、前記最小ダイナミックレンジおよび前記最大ダイナミックレンジの前記ソース・ビデオ・フレームに等級を付けることを含む、請求項１３に記載のシステム。
【請求項１５】
前記連続関数は、ピクセル輝度値を標的ディスプレイのピーク輝度の関数として表すルミパスである、請求項１４に記載のシステム。
【請求項１６】
ディスプレイをさらに備え、かつ前記命令は、前記１つまたは複数のプロセッサのうちの少なくとも１つによって実行されると、システムに、さらに、ディスプレイ上に、ユーザが前記連続関数を規定または修正できるようにするグラフィカル・ユーザ・インタフェースを表示させる、請求項１３に記載のシステム。
【請求項１７】
前記命令は、前記１つまたは複数のプロセッサのうちの少なくとも１つによって実行されると、システムに、さらに、前記連続するダイナミックレンジのビデオフレームを、前記連続関数の各々を打切り多項式級数を用いて近似することにより圧縮させる、請求項１３に記載のシステム。
【請求項１８】
前記多項式級数は、チェビシェフ多項式級数である、請求項１７に記載のシステム。
【請求項１９】
連続するダイナミックレンジ画像またはビデオを生成するためのグラフィカル・ユーザ・インタフェース方法であって、
コンピュータシステムの１つまたは複数のディスプレイ上へ、
複数の等級付けされる画像バージョンであって、前記等級付けされるバージョンは各々異なるダイナミック・レンジ・ディスプレイに関して等級付けされる、複数の等級付けされた画像バージョンと、
前記画像の第１のピクセル集合の輝度を所定のディスプレイの最小ダイナミックレンジおよび最大ダイナミックレンジを基礎とする連続関数として規定する連続関数を修正するためのコントロールと、を表示することと、
前記コンピュータシステムにおいて、前記連続関数を修正するための前記コントロールを作動させるユーザ入力を受信することと、
前記連続関数を修正するための前記コントロールを作動させる前記ユーザ入力の受信に応答して、前記コンピュータシステムが、前記複数の等級付けされた画像バージョンの各々の修正バージョンを前記１つまたは複数のディスプレイ上に表示することとを含む、グラフィカル・ユーザ・インタフェース方法。
【請求項２０】
前記画像は、ビデオに対応する第１のビデオフレームである、請求項１９に記載のグラフィカル・ユーザ・インタフェース方法。
【請求項２１】
前記連続関数は、ピクセル輝度値を標的ディスプレイのピーク輝度の関数として表すルミパスである、請求項１９に記載の方法。
【請求項２２】
前記画像の前記第１のピクセル集合の前記輝度を規定する前記連続関数は、第１のユーザ選択可能マスクに関連づけられ、かつ、前記第１のユーザ選択可能マスクを表示することをさらに含む、請求項１９に記載の方法。
【請求項２３】
前記コンピュータシステムにおいて、前記画像の第２のピクセル集合の輝度を最小ダイナミックレンジおよび最大ダイナミックレンジを基礎とする連続関数として規定する第２の連続関数に関連づけられる第２のマスクを選択するユーザ入力を受信することをさらに含む、請求項２２に記載の方法。
【請求項２４】
前記コンピュータシステムにおいて、最大等級の画像バージョンを選択しかつ最小等級の画像バージョンを選択するユーザ入力を受信することをさらに含む、請求項１９に記載の方法。
【請求項２５】
前記コンピュータシステムにおいて、前記ビデオに対応する第２のビデオフレームを選択するユーザ入力を受信することと、
第２のビデオフレームを選択する前記ユーザ入力の受信に応答して、前記コンピュータシステムが、前記１つまたは複数のディスプレイに前記第２のビデオフレームの複数の等級付けされるバージョンを表示させること、をさらに含み、前記等級付けされるバージョンの各々は、異なるダイナミック・レンジ・ディスプレイに関して等級付けされる、請求項２０に記載の方法。
【請求項２６】
ディスプレイと、
１つまたは複数のプロセッサと、
前記１つまたは複数のプロセッサのうちの少なくとも１つへ動作可能に結合され、かつ、命令を記憶する１つまたは複数の非一時的コンピュータ読取り可能媒体と、を備えるシステムであって、
前記命令が前記１つまたは複数のプロセッサのうちの少なくとも１つによって実行されるとき、前記システムに、
前記ディスプレイ上へ、
複数の等級付けされる画像バージョンであって、前記等級付けされるバージョンは各々異なるダイナミック・レンジ・ディスプレイに関して等級付けされる、複数の等級付けされた画像バージョンと、
前記画像の第１のピクセル集合の輝度を所定のディスプレイの最小ダイナミックレンジおよび最大ダイナミックレンジを基礎とする連続関数として規定する連続関数を修正するためのコントロールと、を表示させ、
前記連続関数を修正するための前記コントロールを作動させるユーザ入力に対応するデータを受信させ、かつ、
前記連続関数を修正するための前記コントロールを作動させる前記ユーザ入力に対応する前記データの受信に応答して、前記ディスプレイ上へ前記複数の等級付けされた画像バージョンの各々の修正バージョンを表示させる、システム。
【請求項２７】
前記連続関数は、ピクセル輝度値を標的ディスプレイのピーク輝度の関数として表すルミパスである、請求２６に記載のシステム。
【請求項２８】
前記画像の前記第１のピクセル集合の前記輝度を規定する前記連続関数は、第１のユーザ選択可能マスクに関連づけられ、かつ前記命令は、前記１つまたは複数のプロセッサのうちの少なくとも１つによって実行されると、前記システムに、さらに、前記ディスプレイ上へ前記第１のユーザ選択可能マスクを表示させる、請求項２６に記載のシステム。
【請求項２９】
前記命令は、前記１つまたは複数のプロセッサのうちの少なくとも１つによって実行されると、前記システムに、さらに、前記画像の第２のピクセル集合の輝度を最小ダイナミックレンジおよび最大ダイナミックレンジを基礎とする連続関数として規定する第２の連続関数に関連づけられる第２のマスクを選択するユーザ入力に対応するデータを受信させる、請求項２８に記載のシステム。
【請求項３０】
前記命令は、前記１つまたは複数のプロセッサのうちの少なくとも１つによって実行されると、前記システムに、さらに、最大等級の画像バージョンを選択しかつ最小等級の画像バージョンを選択するユーザ入力に対応するデータを受信させる、請求項２６に記載のシステム。
【請求項３１】
前記画像は、ビデオに対応する第１のビデオフレームであり、かつ前記命令は、前記１つまたは複数のプロセッサのうちの少なくとも１つによって実行されると、前記システムに、さらに、
前記ビデオに対応する第２のビデオフレームを選択するユーザ入力に対応するデータを受信させ、かつ、
第２のビデオフレームを選択する前記ユーザ入力に対応する前記データの受信に応答して、前記ディスプレイへ前記第２のビデオフレームの複数の等級付けされるバージョンを表示させ、前記等級付けされるバージョンの各々は、異なるダイナミック・レンジ・ディスプレイに関して等級付けされる、請求項２６に記載のシステム。
【請求項３２】
連続するダイナミック・レンジ・ビデオを圧縮して符号化する方法であって、
ビデオフレームに対応する所定のディスプレイの最小ダイナミックレンジが等級付けされた画像と、
前記ビデオフレームに対応する所定のディスプレイの最大ダイナミックレンジが等級付けされた画像と、
前記ビデオフレームのピクセル毎の連続するダイナミックレンジの関数を含むメタデータと、を受信することと、
前記連続するダイナミックレンジの関数の各々を、前記連続するダイナミックレンジの関数を近似する打切り多項式級数の係数ベクトルを用いて表現することと、
前記係数ベクトルを画像フォーマットで表現することとを含む方法。
【請求項３３】
前記多項式級数は、チェビシェフ多項式級数である、請求項３２に記載の方法。
【請求項３４】
前記係数ベクトルの前記画像フォーマット表現をビデオコーデックを用いて符号化することをさらに含む、請求項３２に記載の方法。
【請求項３５】
前記最小ダイナミックレンジが等級付けされた画像および前記最大ダイナミックレンジが等級付けされた画像を、前記２画像間の冗長性を基礎として一緒に、かつ従属的に符号化することをさらに含む、請求項３２に記載の方法。
【請求項３６】
複数のビデオフレームを備える連続するダイナミック・レンジ・ビデオを配信する方法であって、前記方法は、関連のディスプレイを有する複数の受信機の各々へ、
前記複数のビデオフレームの各々の所定のディスプレイの最小ダイナミックレンジの等級と、
前記複数のビデオフレームの各々の所定のディスプレイの最大ダイナミックレンジの等級と、
前記複数のビデオフレームの各々の各ピクセルの輝度を、前記最小および最大ダイナミックレンジ間の連続関数の近似として規定するメタデータと、を配信することを含み、前記連続関数は、多項式級数を用いて近似される、方法。
【請求項３７】
前記連続するダイナミック・レンジ・ビデオは、前記複数の受信機へ、無線通信経由の放送テレビジョン信号、衛星テレビのネットワーク信号またはケーブルテレビのネットワーク信号として送信される、請求項３６に記載の方法。
【請求項３８】
前記連続するダイナミック・レンジ・ビデオは、コンテンツサーバにより、コンピュータネットワーク上で前記複数の受信機へ送信される、請求項３６に記載の方法。
【請求項３９】
前記連続関数は、ピクセル輝度値を標的ディスプレイのピーク輝度の関数として表すルミパスである、請求項３６に記載の方法。
【請求項４０】
前記最小ダイナミックレンジの等級および前記最大ダイナミックレンジの等級は、一緒に符号化される、請求項３６に記載の方法。
【請求項４１】
関連のダイナミックレンジを有する所定のディスプレイ上へ表示するために連続するダイナミックレンジ画像を復号する方法であって、
最小ダイナミックレンジが等級付けされた画像バージョンと、
最大ダイナミックレンジが等級付けされた画像バージョンと、
前記画像に対応する連続するダイナミックレンジのメタデータと、を含む符号化された連続するダイナミックレンジ画像を受信することと、
前記連続するダイナミック画像を、コーデックを用いて復号することと、
前記画像の特定のダイナミックレンジ表現を、前記復号された連続するダイナミックレンジ画像および前記ディスプレイの前記ダイナミックレンジを基礎として生成することとを含む方法。
【請求項４２】
前記画像は、ビデオフレームに対応し、かつ前記符号化された連続するダイナミックレンジ画像は、ビデオ符号化された連続するダイナミックレンジのビデオフレームである、請求項３９に記載の方法。
【請求項４３】
前記受信されるビデオ符号化された最小ダイナミックレンジが等級付けされた画像および最大ダイナミックレンジが等級付けされた画像は、スケーラブルなビデオ・コーディング・コーデックを基礎として一緒に符号化され、かつ前記連続するダイナミックレンジのビデオフレームを復号することは、前記一緒に符号化された画像を、前記スケーラブルなビデオ・コーディング・コーデックを用いて復号することを含む、請求項４０に記載の方法。
【請求項４４】
前記連続するダイナミックレンジのメタデータは、前記画像のピクセルの輝度を、前記最小および最大ダイナミックレンジ間の前記ピクセルの前記輝度を規定する連続関数を近似する打切り多項式級数の係数として規定するメタデータを含む、請求項３９に記載の方法。
【請求項４５】
前記多項式級数は、チェビシェフ級数である、請求項４２に記載の方法。
【請求項４６】
前記連続関数は、ルミパスである、請求項４２に記載の方法。
【請求項４７】
システムであって、
関連のダイナミックレンジを有する所定のディスプレイと、
１つまたは複数のプロセッサと、
前記１つまたは複数のプロセッサのうちの少なくとも１つへ動作可能に結合され、かつ、命令を記憶する１つまたは複数の非一時的コンピュータ読取り可能媒体と、を備えるシステムであって、
前記命令が前記１つまたは複数のプロセッサのうちの少なくとも１つによって実行されると、前記受信機に、
最小ダイナミックレンジが等級付けされた画像バージョンと、
最大ダイナミックレンジが等級付けされた画像バージョンと、
前記画像に対応する連続するダイナミックレンジのメタデータと、を含む符号化された連続するダイナミックレンジ画像を受信させ、
前記連続するダイナミックレンジ画像を復号させ、
前記画像の特定のダイナミックレンジ表現を、前記ディスプレイの前記ダイナミックレンジを基礎として生成させ、かつ、
前記画像の前記特定のダイナミックレンジ表現を、前記ディスプレイ上に表示させる、システム。
【請求項４８】
前記画像は、ビデオフレームに対応し、かつ前記符号化された連続するダイナミックレンジ画像は、ビデオ符号化された連続するダイナミックレンジのビデオフレームである、請求項４５に記載のシステム。
【請求項４９】
前記受信されるビデオ符号化された最小ダイナミックレンジが等級付けされた画像および最大ダイナミックレンジが等級付けされた画像は、コーデックを用いて一緒に、かつ従属的に符号化され、かつ前記連続するダイナミックレンジのビデオフレームを復号することは、前記一緒に、かつ従属的に符号化された画像を、前記コーデックを用いて復号することを含む、請求項４６に記載のシステム。
【請求項５０】
前記連続するダイナミックレンジのメタデータは、前記画像のピクセルの輝度を、前記最小および最大ダイナミックレンジ間の前記ピクセルの前記輝度を規定する連続関数を近似する打切り多項式級数の係数として規定するメタデータを含む、請求項４５に記載のシステム。
【請求項５１】
前記多項式級数は、チェビシェフ級数である、請求項４８に記載のシステム。
【請求項５２】
前記連続関数は、ルミパスである、請求項４８に記載のシステム。